(57)【要約】【課題】ボタン電話装置を利用して会議を行うときに、主装置の会議パスを用いずに会議が行えるようにする。【解決手段】ボタン電話装置は、外線10に接続された主装置１と、内線伝送路２を介して主装置１に接続された２台のボタン電話機3-1 及び3-2 とを備えている。ボタン電話機3-1 は、親機4-1 と、無線子機5-11及び5-12とから構成されており、ボタン電話機3-2 は、親機4-2 と、無線子機5-21及び5-22とから構成されている。ボタン電話機3-1 の親機4-1 は会議回路を備えているため、無線子機5-11、5-12、及び外線10の接続先との間で３者会議が行える。ボタン電話機3-2 についても同様である。【選択図】  図１
2005295179.tif 000002
【特許請求の範囲】
【請求項１】
主装置と、その主装置の内線に収容された複数のボタン電話機とを有するボタン電話装置において、前記ボタン電話機のうち１つのボタン電話機は、親機と、その親機と無線を介して接続される複数の無線子機とからなり、前記親機は前記主装置を介して接続した接続先と複数の無線子機との会議を可能にする会議手段を備えていることを特徴とするボタン電話装置。
【請求項２】
前記主装置は前記会議手段における会議状態を記憶する手段を備えていることを特徴とする請求項１記載のボタン電話装置。
【請求項３】
前記親機は前記会議手段における会議状態を表示する手段を備えていることを特徴とする請求項１記載のボタン電話装置。
【請求項４】
前記親機及び無線子機は、予め識別情報が格納された記憶手段と、前記識別情報のやりとりにより対をなすと確認された親機と子機との間で無線通信を可能にする制御手段とを備えていることを特徴とする請求項１記載のボタン電話装置。
【請求項５】
自分と対をなす親機を介して接続した接続先と通話中の無線子機が、その親機とは対をなしていない無線子機を会議に参加させるための操作を行ったときに、その対をなしていない無線子機の識別番号を前記親機に送信する手段を前記主装置は備え、前記親機は前記主装置から受信した識別番号を用いて前記自分と対をなしていない無線子機と通信を行う手段を備えていることを特徴とする請求項４記載のボタン電話装置。
【発明の詳細な説明】
【技術分野】
【０００１】
本発明は、ボタン電話装置に関し、特に主装置の会議回路を用いず会議が行えるボタン電話装置に関する。
【背景技術】
【０００２】
従来、電話機を用いた会議通話装置は、構内交換機やボタン電話装置の主装置に設けた会議回路（複数の通話を混合する装置）を利用して行う（特許文献１参照）。この会議回路は、複数の電話機に対して、自分以外の全ての音声信号を混合して自分以外の電話機に入力されるような加算器を備えており、これにより、各電話機において自分以外の会議参加者の送話を加算して自分の受話とするものである。
【０００３】
【特許文献１】特開平５−１６７７００公報（図３）
【発明の開示】
【発明が解決しようとする課題】
【０００４】
前述した会議回路を用いる会議通話装置では、会議回路が持つ会議パスが１つであれば３者会議が１組できるだけであり、会議数を増やすためにはハードウェアで会議パスを増やす必要がある。従って、会議数を増やすためには主装置のハードウェアの改造が必要となり、コストが増加する。
【０００５】
本発明はこのような問題点を解決するためになされたもので、ボタン電話装置を利用して会議を行うときに、主装置の会議パスを用いずに会議が行えるようにすることを目的とする。
【課題を解決するための手段】
【０００６】
請求項１に係る発明は、主装置と、その主装置の内線に収容された複数のボタン電話機とを有するボタン電話装置において、前記ボタン電話機のうち１つのボタン電話機は、親機と、その親機と無線を介して接続される複数の無線子機とからなり、前記親機は前記主装置を介して接続した接続先と複数の無線子機との会議を可能にする会議手段を備えていることを特徴とするボタン電話装置である。
請求項２に係る発明は、請求項１記載のボタン電話装置において、前記主装置は前記会議手段における会議状態を記憶する手段を備えていることを特徴とするボタン電話装置である。
請求項３に係る発明は、請求項１記載のボタン電話装置において、前記親機又は子機は前記会議手段における会議状態を表示する手段を備えていることを特徴とするボタン電話装置である。
請求項４に係る発明は、請求項１記載のボタン電話装置において、前記親機及び無線子機は、予め識別情報が格納された記憶手段と、前記識別情報のやりとりにより対をなすと確認された親機と子機との間で無線通信を可能にする制御手段とを備えていることを特徴とするのボタン電話装置である。
請求項５に係る発明は、請求項４記載のボタン電話装置において、自分と対をなす親機を介して接続した接続先と通話中の無線子機が、その親機とは対をなしていない無線子機を会議に参加させるための操作を行ったときに、その対をなしていない無線子機の識別番号を前記親機に送信する手段を前記主装置は備え、前記親機は、前記主装置から受信した識別番号を用いて前記自分と対をなしていない無線子機と通信を行う手段を備えていることを特徴とするボタン電話装置である。
【発明の効果】
【０００７】
本発明によれば、主装置の内線に収容されたボタン電話機の親機に会議回路を設けたので、主装置の会議パスを用いずに会議を行うことができる。
【発明を実施するための最良の形態】
【０００８】
以下、図面を参照しながら本発明の実施形態について説明する。
〔第１の実施形態〕
図１は本発明の第１の実施形態に係るボタン電話装置を示すブロック図である。
【０００９】
このボタン電話装置は、１本以上の電話回線（外線）10に接続された主装置１と、内線伝送路２を介して主装置１に接続された２台のボタン電話機3-1 及び3-2 から構成されている。ボタン電話機3-1 は、親機4-1 と、無線子機5-11及び5-12とから構成されており、ボタン電話機3-2 は、親機4-2 と、無線子機5-21及び5-22とから構成されている。ボタン電話機3-1 の親機4-1 と無線子機5-1 及び5-2 とは対をなしており、親機−子機間通信が可能となるように予め設定されている。同様に、ボタン電話機3-2 の親機4-2 と無線子機5-21及び5-22も対をなしており、親機−子機間通信が可能となるように予め設定されている。これらの親機−子機間通信は、予め設定された親機と子機との間のみ可能であり、他の親機又は子機と通信することは出来ない。すなわち、例えばボタン電話機3-1 の親機4-1 は子機5-11及び5-12とだけ通信可能であり、他の子機5-21及び5-22とは通信不可能である。また、子機5-11及び5-12は親機4-1 とだけ通信可能であり、他の親機4-2 とは通信不可能である。ボタン電話機3-2 についても同様である。このような排他的な親機−子機間通信は、例えば親機及び子機の対を登録するときに、対であることを識別するための無線ＩＤをそれぞれのメモリに書き込み、通信時にその無線ＩＤをやりとりし、認証することで実現する。
【００１０】
主装置１は、電話回線10並びにボタン電話機3-1 及び3-2 の状態を管理し、この主装置１全体の制御等を行う制御部11と、電話回線10を終端制御する外線インターフェース部12と、内線伝送路２を介してボタン電話機3-1 及び3-2 を収容する内線インターフェース部13と、外線インターフェース部12と内線インターフェース部13とを交換接続する交換処理部14と、制御部11での制御に必要な各種制御情報、外線情報及び内線情報を関連付けて記憶する記憶部15とを備えている。さらに、記憶部15は後述する会議回路の会議状態を保持するための会議情報メモリ15ａを備えている。
【００１１】
図２及び図３は、それぞれ図１における親機及び子機の構成を示すブロック図である。図１において、各親機3-1 及び3-2 は同じ構成を持ち、各子機5-11〜5-22も同じ構成を持つので、以下、区別する必要がある場合を除き、親機４、子機５とする。
【００１２】
図２に示すように、親機４は、この親機４全体の制御等を行う親機制御部41と、それぞれが親機制御部41に接続された内線インターフェース部42、無線インターフェース部43、音声処理部44、表示部45、操作部46、及び記憶部47を備えている。
【００１３】
内線インターフェース部42は、内線伝送路２を介して主装置１と通信を行い、無線インターフェース部43は無線回線を介して子機５と通信を行う。音声処理部44は、呼出音や各種報知音の発生、受話器を使用せずに通話を行う所謂スピーカホン機能の実現のための処理等を行う。表示部45はＬＣＤ等を有し、親機制御部41から送られる各種情報を表示する。操作部46は、ダイヤルキー、外線キー、フックスイッチ等の各種キーを備え、操作者がこれらのキーを用いて入力した情報を親機制御部41へ送る。記憶部47は、親機制御部41が各種処理を実行するときに使用するプログラム等が予め格納されているＲＯＭ、親機制御部31が各種処理を実行するときに各種データ等を一時的に記憶するＲＡＭ、親機の無線ＩＤ等を記憶するＥＥＰＲＯＭ等からなる。
【００１４】
無線インターフェース部43は会議回路43ａを備えている。会議回路43ａは、従来の会議回路と同様、１つの通話路に対してもう１つの通話路を接続し、音声を混合することができる。従って、例えば無線子機5-11が外線10の接続先と通話をしている時に無線子機5-12の音声をその外線通話に加えて３者で会議を行うことができる。
【００１５】
図３に示すように、無線子機５は、この無線子機５全体の制御等を行う無線子機制御部51と、それぞれが無線子機制御部51に接続された無線インターフェース部52、音声処理部53、記憶部54、表示部55及び操作部56を備えている。子機５は使用しないときは図示されていない充電台に載置されている。そして、充電台から取り上げると、充電台から子機４に供給される充電電圧が０になるので、充電電圧に基づいてオンフック及びオフフックを検出している。
【００１６】
無線インターフェース部52は無線回線を介して親機４と通信を行う。音声処理部53は、図示されていないスピーカーやマイクを用いた音声通話機能、各種報知音等の生成機能を有する。記憶部54、表示部55、操作部56は、それぞれ親機４の記憶部47、表示部45、操作部46と同様に構成されている。また、操作部56は会議操作を行うための会議ボタンを備えている。
【００１７】
次に、以上の構成を有するボタン電話装置において、子機5-1 、子機5-2 、及び外線10の接続先の３者間で会議通話を行う場合の手順について、図４のシーケンス図を用いて説明する。
【００１８】
まず外線から主装置１の外線インターフェース部12に外線着信があると、制御部11は交換処理部14と内線インターフェース部13を制御して、親機4-1 に外線着信通知を行う。親機4-1 では、外線着信通知が内線インターフェース部42に入力されると、親機制御部41は無線インターフェース部43を介して順次、子機5-11及び5-12に外線着信知を行う。なお、このとき、親機4-1 は子機5-11対して無線ＩＤの送信を要求し、子機5-11から送信されてきた無線ＩＤが予め登録されている無線ＩＤと一致した場合に無線リンクの確立を行い、その後に外線着信通知を行う。子機5-11に対しても同様である。子機5-11及び5-12では、外線着信通知が無線インターフェース部52に入力されると、音声処理部53から呼出音が出力される。
【００１９】
ここでは、外線着信通知に対して子機5-11が充電台から取り上げられたものとする。子機5-11が充電台から取り上げられたことでオフフックが検出されると、無線子機制御部51は応答通知（オフフック通知）を無線インターフェース部52を介して親機4-1 へ送信する。親機4-1 では、子機5-11からの応答通知が無線インターフェース43で受信されると、主装置１に対して内線インターフェース部42を介して応答通知を送信する。主装置１では、内線インターフェース部13で応答通知が受信されると、制御部11は外線インターフェース部12から外線に応答通知を送信すると共に親機4-1 に対して外線着信の停止を指示する。親機4-1 では外線着信の停止が指示されると、その外線着信の停止を順次子機5-1 及び5-2 へ指示する。子機5-11及び5-12では、外線着信の停止の指示が無線インターフェース部52に入力されると、音声処理部53による呼出音の出力を停止する。これ以後、子機5-11と外線10の発信元との間で通話が行われる。
【００２０】
次に、子機5-11の使用者が子機5-12を加えて会議通話を行うために、操作部56の保留キーを押した後、子機5-12を呼び出すために、子機5-12の内線番号を入力する。保留キーの操作は無線子機制御部51により検出され、前述した応答通知と同じ経路で親機4-1 へ通知され、さらに主装置１へ通知される。主装置１は保留キーの操作が通知されると、子機5-11と通話中の外線を保留する。子機5-12の内線番号は親機4-1 へ通知される。なお、図の親機4-1 の縦線において「〇」の下の太線は親機4-1 が外線10に接続中であることを意味する。
【００２１】
主装置１は、外線を保留した後、親機4-1 に対して保留中の外線番号を表示部のＬＥＤ（発光ダイオード）で表示することを指示する。親機4-1 はこの指示を受信すると、親機制御部41が表示部45の保留中の外線を表示するＬＥＤを点滅させる。
【００２２】
親機4-1 は子機5-11から子機5-12の内線番号を通知されると、無線インターフェース部43から子機5-12に対してコードレス内着信を通知する。子機5-12では、コードレス内着信の通知が無線インターフェース部52に入力されると、音声処理部53から呼出音が出力される。コードレス内着信知に対して子機5-12を充電台から取り上げると、応答通知（オフフック通知）が無線インターフェース部52を介して親機4-1 へ送信される。これにより、子機5-11と子機5-12との間で内線通話状態となる。
【００２３】
子機5-11の使用者は、この内線通話により保留中の外線と子機5-11と子機5-12の３者で会議を行うことを確認した後、会議通話を開始するために操作部56の会議キーを操作する。会議キーの操作は親機4-1 へ通知される。親機4-1 は会議キーの操作が通知されると、主装置１に対して保留中の外線の保留の解除を指示すると共に、無線インターフェース部43内の会議回路43ａに子機5-11、5-12及び外線10を接続し、３者会議が可能な会議パスを形成する。主装置１が保留中の外線の保留を解除することで、３者会議が始まる。
【００２４】
主装置１は、保留中の外線の保留を解除した後、親機4-1 に対して、保留中の外線番号を表示しているＬＥＤの表示を解除することを指示する。親機4-1 はこの指示を受信すると、保留中の外線番号を点滅表示しているＬＥＤを点灯表示に変える。次に、親機4-1 は子機5-11、5-12が会議中であること示す子機情報を主装置１へ送信する。主装置１は、子機情報を受信すると、記憶部15の会議状態メモリ15ａに会議状態情報（子機5-11及び5-12の内線番号、外線の接続先の電話番号等）を格納した後、親機4-1 に対して会議状態の表示を指示する。親機4-1 はこの指示を受信すると、制御部41の制御により、表示部45のＬＣＤに例えば「内線11、内線12、外線03-1234-5678会議中」のような表示を行う。さらに、子機5-1 及び5-12の表示部55で同様な表示を行ってもよい。
【００２５】
このように、本実施形態によれば、１本の外線と２本のコードレス内線とを用いることにより、主装置１の会議パスを用いずに３者会議ができる。なお、以上の説明は、親機4-1 と対をなす子機5-11、5-12が外線10の発信元と３者会議を行う場合であったが、親機4-2 について同様に３者会議が行える。また、主装置１内の会議パスを併用した場合、１本の外線と４本のコードレス内線とを用いた５者会議が可能である。
【００２６】
〔第２の実施形態〕
図５は本発明の第２の実施形態に係るボタン電話装置を示すブロック図である。この図において、図１と同一又は対応する構成要素には図１で使用した符号を付した。第２の実施形態では、主装置１の内線に収容されている２台のボタン電話機3-3 及び3-4 の各々に１台の無線子機5-3 及び5-4 が対をなしていることが、第１の実施形態と異なる点である。
【００２７】
次に、以上の構成を有するボタン電話装置において、親機4-3 と対をなす子機5-3 、親機4-4 と対をなす子機5-4 、及び外線10の接続先の３者間で会議を行う場合の手順について、図６のシーケンス図を用いて説明する。なお、以下の説明において、主装置１、親機4-3 及び4-4 、子機5-3 及び5-4 の内部におけるデータの流れについては、第１の実施形態と同じ部分については説明を省略する。
【００２８】
まず外線から主装置１に外線着信があると、主装置１は親機4-3 に外線着信通知を行う。親機4-3 は、外線着信通知を受信すると、子機5-3 に外線着信知を行う。このとき、親機4-3 は子機5-3 に対して無線ＩＤの送信を要求し、子機5-3 から送信されてきた無線ＩＤが予め登録されている無線ＩＤと一致した場合に無線リンクの確立を行い、その後に外線着信通知を行う。子機5-3 では、外線着信通知を受信すると、呼出音を出力する。
【００２９】
子機5-3 が充電台から取り上げられたことでオフフックが検出されると、応答通知（オフフック通知）が親機4-3 へ送信される。親機4-3 は、子機5-3 からの応答通知を受信すると、主装置１に対して応答通知を送信する。主装置１は、応答通知を受信すると、外線に応答通知を送信すると共に親機4-3 に対して外線着信の停止を指示する。親機4-3 は外線着信の停止が指示されると、その外線着信の停止を子機5-3 へ指示する。子機5-3 は、外線着信の停止の指示を受信すると、呼出音の出力を停止する。これ以後、子機5-3 と外線10の発信元との間で通話が行われる。
【００３０】
次に、子機5-3 の使用者が子機5-4 を加えて会議通話を行うために、操作部56の保留キーを押した後、子機5-4 を呼び出すために、子機5-4 の内線番号を入力する。保留キーの操作は親機5-3 へ通知され、さらに主装置１へ通知される。主装置１は保留キーの操作が通知されると、子機5-3 と通話中の外線を保留する。また、子機5-4 の内線番号は親機4-3 へ通知され、さらに主装置１へ通知される。
【００３１】
主装置１は、外線を保留した後、親機4-3 に対して保留中の外線番号を表示部のＬＥＤで表示することを指示する。親機4-3 はこの指示を受信し、表示部45の保留中の外線を表示するＬＥＤを点滅させる。
【００３２】
次に、主装置１は、親機4-4 に対して子機5-4 の無線ＩＤの送信を要求する。親機4-4 は、この要求を受信すると、記憶部47に記憶されている子機5-4 の無線ＩＤを主装置１へ送信する。主装置１は、子機5-4 の無線ＩＤを受信すると、子機5-4 が使用中であることを記憶部15に記憶し、親機4-4 に対して子機5-4 が使用中であることを表示部55のＬＣＤに表示することを指示する。親機4-4 はこの指示に従って表示部55のＬＣＤに「子機使用中」と表示する。主装置１は、子機5-4 が使用中の間は、子機5-4 の呼び出し等、子機5-4 に関連する操作がなされた場合、相手に話中音等を送信する。なお、ここでは、主装置１は、親機4-4 に対して子機5-4 の無線ＩＤの送信を要求し、親機4-4 から受信しているが、予め主装置１の記憶部15に全ての親機及び無線子機の無線ＩＤを格納しておくことにより、このような無線ＩＤの送信要求及び受信の手順を省略するように構成してもよい。
【００３３】
次いで、主装置１は、親機4-3 に対して子機5-4 の無線ＩＤを送信する。親機4-3 は、この無線ＩＤを受信し、記憶部47に登録する。そして、登録した無線ＩＤを用いて、子機5-4 との間の無線リンクを確立した後、無線リンクが確立されたことを主装置１へ通知する。ここで、親機と子機との間で無線通信可能な距離は限られているため、親機4-3 と子機5-4 との無線リンクが確立される前提として、子機5-4 を親機4-3 の無線通信可能な距離に配置しておくか又は充電台から取り上げて持っていくかのいずれかを行うことが必要である。
【００３４】
主装置１は、親機4-3 から、親機4-3 と子機5-4 との間の無線リンク確立の通知を受信すると、親機4-3 に対して子機5-4 の呼び出しを指示する。親機4-3 は、この呼び出し指示に従って子機5-4 の呼び出しを行う。子機5-4 がオフフックされると、応答通知が親機4-3 へ送信され、さらに主装置１へ送信される。これにより、子機5-3 と子機5-4 との間で内線通話状態となる。
【００３５】
子機5-3 の使用者は、この内線通話により保留中の外線と子機5-3 と子機5-4 の３者で会議を行うことを確認した後、会議通話を開始するために操作部56の会議キーを操作する。会議キーの操作は親機4-3 へ通知される。親機4-3 は会議キーの操作が通知されると、主装置１に対して保留中の外線の保留の解除を指示すると共に、無線インターフェース部43内の会議回路43ａに子機5-3 、5-4 及び外線10を接続し、３者会議が可能な会議パスを形成する。主装置１が保留中の外線の保留を解除することで、３者会議が開始される。
【００３６】
主装置１は、保留中の外線の保留を解除した後、親機4-3 に対して、保留中の外線番号を表示しているＬＥＤの表示を解除することを指示する。親機4-1 はこの指示に従って、保留中の外線番号を点滅表示しているＬＥＤを点灯表示に変える。次に、親機4-3 は子機5-3 、5-4 が会議中であることを示す子機情報を主装置１へ送信する。主装置１は、子機情報を受信すると、記憶部15の会議状態メモリ15ａに会議状態情報（子機5-3 及び5-4 の内線番号、外線の接続先の電話番号等）を格納した後、親機4-3 に対して会議状態の表示を指示する。親機4-3 はこの指示を受信し、指示に従って表示部45のＬＣＤに例えば「内線３、内線４、外線03-1234-5678会議中」のような表示を行う。さらに、子機5-3 及び5-4 の表示部55で同様な表示を行ってもよい。
【００３７】
このように、本実施形態によれば、１本の外線と２本のコードレス内線とを用いることにより、主装置１の会議パスを用いずに３者会議ができる。また、親機と対をなしていない子機の無線ＩＤを会議を開始するときに親機に登録することにより、会議に参加させることができる。
【図面の簡単な説明】
【００３８】
【図１】本発明の第１の実施形態を示すブロック図である。
【図２】図１における親機の構成を示すブロック図である。
【図３】図１における子機の構成を示すブロック図である。
【図４】２台の子機と外線の接続先との３者間で会議を行う場合の手順のシーケンス図である。
【図５】本発明の第２の実施形態に係るボタン電話装置を示すブロック図である。
【図６】親機が異なる２台の子機と外線の接続先との３者間で会議を行う場合の手順のシーケンス図である。
【符号の説明】
【００３９】
１・・・主装置、２・・・内線、3-1 、3-2 、3-3 、3-4 ・・・ボタン電話機、4-1 、4-2 、4-11、4-12・・・親機、5-3 、5-4 、5-11、5-12、5-21、5-22・・・無線子機、15ａ・・・会議状態メモリ、43ａ・・・会議回路、45、55・・・表示部。
【図１】
2005295179.tif 000003
【図２】
2005295179.tif 000004
【図３】
2005295179.tif 000005
【図４】
2005295179.tif 000006
【図５】
2005295179.tif 000007
【図６】
2005295179.tif 000008